(57)【要約】      （修正有）【課題】薄肉であっても容易に分段可能とするレベル調整プレートの提供。【解決手段】合成樹脂製にして薄肉に形成されたレベル調整プレートの本体１において、該本体１は複数の分割体２を連結片３を介して一体形成して成り、該連結片３は、切欠き底８により極薄肉部を形成する様にした分断用切欠き溝を設けると共に、前記極薄肉部は連結片３を切欠き底８で分断可能なねじり応力が集中する様に狭小幅に切欠形成することにより、本体１を分断して使用するに際し、本体１をねじ曲げて極薄肉部を切欠き底８で以て簡単に分断する。【選択図】図１
0003111908.tif 000002
【実用新案登録請求の範囲】
【請求項１】
合成樹脂製にして薄肉に形成されたレベル調整プレートの本体において、該本体は複数
の分割体を連結片を介して一体形成して成り、該連結片は、切欠き底により極薄肉部を形
成する様にした分断用切欠き溝を設けると共に、前記極薄肉部は連結片を切欠き底で分断
可能なねじり応力が集中する様に狭小幅に切欠形成したことを特徴とするコンクリート製
品のレベル調整プレート。
【請求項２】
上記本体は分割体の間で所定間隔を設けて配置した複数の連結片を介して一体形成され
ると共に、各連結片に設けた切欠き底の夫れを同一軸線上に配したことを特徴とする請求
項１記載のコンクリート製品のレベル調整プレート。
【請求項３】
極薄肉部は、Ｖ字状の分断用切欠き溝にて切欠き底と連結片底面との間に形成され、Ｖ
字状のノッチにて狭小幅に切欠形成したことを特徴とする請求項１又は２記載のコンクリ
ート製品のレベル調整プレート。
【考案の詳細な説明】
【技術分野】
【０００１】
本考案は、側溝、ボックスカルバート等のコンクリート製品の設置面適所に配置するレ
ベル調整プレートに関する。
【背景技術】
【０００２】
従来、上記コンクリート製品を現場で敷設する際、コンクリートを打ち込んで設置面と
成し、その上にコンクリート製品を敷設しているが、その設置面は不陸があるため、特開
平４−３４１４３号公報に開示される様に、コンクリート製品下部に所定肉厚の矩形板状
のプレートを１枚又は適宜枚数積み重ねてレベル調整していた。
しかしながら、上記プレートは一様な大きさのため、コンクリート製品の大きさによっ
ては、これを載置するには大き過ぎたりする場合が多々あり、この様な場合、コンクリー
ト製品の設置面におけるプレートの配置状態（プレートの向き）を設置箇所毎に横に向け
たり、縦に向けたりなどせねばならず、これによりその作業が煩雑となって作業効率が悪
かった。
かかる不具合を解消するために、特開２００４−２１１５１０号公報に開示されたレベ
ル調整プレートでは、その本体に分断用切欠き溝を形成することにより、該分断用切欠き
溝の切欠き底と本体底面との間に薄肉部を設け、切欠き底に沿って本体を単に折り曲げる
ことにより、本体を薄肉部を境にして分断可能と成し、本体を必要に応じた大きさに分割
使用できる様にし、コンクリート製品の敷設作業の効率化を図っている。
【考案の開示】
【考案が解決しようとする課題】
【０００３】
しかしながら、レベル調整プレート本体が、約１〜２mmほどの極めて薄いものでは、本
体自体が撓み易くなっているので、切欠き底で折り曲げても、そこで屈曲はするが、分断
するほどの応力が集中しないため、本体を分離できない課題を有している。
そこで、切欠き底に応力を集中させるために、本体をねじ曲げても本体全体が撓みやす
く、又切欠き底を有する薄肉部の幅が広いため、上記と同様に切欠き底で本体を分断でき
る程度の応力が集中せず、本体を容易に分離できなかった。
【課題を解決するための手段】
【０００４】
本考案は、上記課題に鑑み、合成樹脂製にして薄肉に形成されたレベル調整プレートの
本体において、該本体は複数の分割体を連結片を介して一体形成して成り、該連結片は、
切欠き底により極薄肉部を形成する様にした分断用切欠き溝を設けると共に、前記極薄肉
部は連結片を切欠き底で分断可能なねじり応力が集中する様に狭小幅に切欠形成すること
により、本体を分断して使用するに際し、本体をねじ曲げて極薄肉部を切欠き底で以て簡
単に分断できる様にする。
上記本体は分割体の間で所定間隔を設けて配置した複数の連結片を介して一体形成され
ると共に、各連結片に設けた切欠き底の夫れを同一軸線上に配することにより、本体を分
割使用しない状態での形状の安定性を図ると共に、本体分割時のねじ曲げに際し、全ての
連結片における極薄肉部に切欠き底で分断するに充分なねじり応力を集中させられる様に
する。
又、極薄肉部は、Ｖ字状の分断用切欠き溝にて切欠き底と本体底面との間に形成され、
Ｖ字状のノッチにて狭小幅に切欠形成し、本体分断時に極薄肉部の応力集中をより大きく
作用させる様にする。
【考案の効果】
【０００５】
要するに請求項１に係る考案によれば、連結片は、切欠き底により極薄肉部を形成する
様にした分断用切欠き溝を設けると共に、前記極薄肉部は連結片を切欠き底で分断可能な
ねじり応力が集中する様に狭小幅に切欠形成したので、本体が薄肉であってもこれをねじ
曲げるだけで、そのねじ曲げにより極薄肉部に発生する応力を局部的に極めて大きく作用
させて連結片を切欠き底で分断するに充分なねじり応力を集中させることができるため、
何らの道具を用いることなく、本体は連結片の極薄肉部を切欠き底を境にして簡単に分断
でき、本体を分断して使用するに際してのコンクリート製品の敷設作業の効率を向上でき
る。
【０００６】
請求項２に係る考案では、本体は分割体の間で所定間隔を設けて配置した複数の連結片
を介して一体形成したので、分割使用しない状態での本体の形状安定化をより確実と成す
ことができると共に、各連結片に設けた切欠き底の夫れを同一軸線上に配したので、本体
分割時のねじ曲げに際し、全ての連結片における極薄肉部に切欠き底で分断するに充分な
ねじり応力を集中させることができ、よって連結片が複数あっても本体を簡単に分断でき
る。
【０００７】
請求項３に係る考案では、極薄肉部は、Ｖ字状の分断用切欠き溝にて切欠き底と連結片
底面との間に形成され、Ｖ字状のノッチにて狭小幅に切欠形成したので、本体分断時のね
じ曲げに際し、極薄肉部の応力集中をより大きく作用させられ、本体を難無く分断できる
等その実用的効果甚だ大である。
【考案を実施するための最良の形態】
【０００８】
以下本考案の実施の形態としての実施例を図面に基づいて説明する。
図１〜３に示すレベル調整プレートの本体１は、全体がポリプロピレン等の硬質合成樹
脂製で、肉厚が約１〜２mmほどの薄肉な横長方形板状に形成され、具体的には複数の分割
体２を連結片３を介して一体形成している。
分割体２は本体１の左右に配された同形の横長な方形板であり、分割体２の中央部前後
の夫々には、厚肉に形成された他のレベル調整プレートの本体４上面に設けた円形状の凸
部５に対応する嵌合穴６を設けており、該嵌合穴６の四方には本体の軽量化のため略三角
形状の穴を設けている。
連結片３は、平面視細長帯状に形成され、分割体２の短手辺の間で所定間隔を設けて複
数配置、図示例では前記短手辺の前後及び中間部の三箇所に配置され、分割体２を連結し
ている。
【０００９】
各連結片３は、同長、同幅に形成され、その上面に分断用切欠き溝７を凹設している。
分断用切欠き溝７は、Ｖ字状に形成され、各分断用切欠き溝７の切欠き底８の夫れを同
一軸線上に配する様に、連結片３の長手方向の中心線（本体１の長手方向の中心線に相当
）上に形成しており、切欠き底８と連結片３底面との間に極薄肉部９を形成している。
極薄肉部９は、連結片３を切欠き底８で分断可能とするねじり応力が集中する様に、Ｖ
字状のノッチ10にて狭小幅に切欠形成している。
前後の連結片３は中間の連結片３と対向する側縁のみにノッチ10を形成し、中間の連結
片３は前後の連結片３に対向する両側縁にノッチ10を形成している。
この様に、本体１は分割体２の間で所定間隔を設けて配置した複数の連結片３を介して
一体形成されることで、分割使用しない状態での本体１の形状安定が図られる。
又、各連結片３に設けた切欠き底８の夫れは、同一軸線上に配されるため、本体１分割
時のねじ曲げに際し、全ての連結片３における極薄肉部９に切欠き底８で分断するに充分
なねじり応力を集中させられる。
【００１０】
次に、厚肉に形成された他のレベル調整プレートの本体４について説明する。
この本体４は、本体１と同様に分割可能に形成され、上記構成の単数又は複数の本体１
又は分割体２を積載して所定の厚みを得る場合に使用する（図４参照）。
本体４は、その左右に設けた分割体11を本体１と同様に連結片12にて連結一体形成して
成り、連結片12の上面にはＶ字状の分断用切欠き溝13を凹設し、該分断用切欠き溝13の切
欠き底14と連結片12底面間に薄肉部15を設けている。
この本体４は、肉厚が本体１に比し極めて厚いため、本考案に係る本体１の様に連結片
12にノッチは設けていないが、本体４を折り曲げることで、分断用切欠き溝13により連結
片12に形成された薄肉部15を切欠き底14に沿って分断できる。
又、本体１上面の凸部５は断面薄肉円弧状に突設して成り、該凸部５に対応する本体４
（分割体11）底面には、円形状の凹部16を凸部５の裏側へ到達する様に凹設しており、凸
部５に上方より押圧力を加えると、その材質特性により凸部５は弾性屈曲して凹部16内へ
凹む様に成している。
【００１１】
上記の様に構成されたレベル調整プレートの使用について説明する。
先ず、コンクリート製品Ｗに対応する設置面Ｇの要所には、所望する高さを得るため、
肉厚の異なる複数種の本体１から単独に選択したもの、若しくは、同肉厚又は異なる肉厚
を有する本体１、４を適宜に組み合わせて複数枚選択したものを積み重ねて設置する。
この設置に際し、コンクリート製品Ｗの大きさやその他の諸条件により、本体１、４は
必要に応じ分断される。
本体４の分断にあっては、上記の通り本体４を折り曲げることで成し得る。
本体１を分断するには、分段用切欠き溝７の切欠底８が配される本体１の長手方向の中
心線に沿って形成された連結片３の極薄肉部９にねじり荷重が作用する様に、本体１の左
右を持ってねじ曲げる。
極薄肉部９は、連結片３において、分段用切欠き溝７により他の部分よりも極めて薄肉
にして、且つノッチ10の形成でその幅が他の部分よりも狭小であること、加えて分断用切
欠き溝７及びノッチ10がＶ字状のため極薄肉部９に応力集中を大きく作用させられること
から、本体１の上記ねじ曲げにより極薄肉部９にねじり応力が集中すると、切欠き底８に
沿って亀裂を生じて裂開し、これにより本体１は切欠き底８を境界として分割体２に分離
される。
【００１２】
本体１等の設置について、単体で使用する場合には、その一例を図５に示す様に、本体
１又は分割体２を設置面Ｇの要所に設置する。
又、同厚又は肉厚の異なる本体１、或いは同厚又は肉厚の異なる分割体２を組み合わせ
て複数使用する場合は、本体１等を整合する様に積み重ねて設置面Ｇの要所に設置する。
又、本体１と本体４、又は分割体２と分割体11を組み合わせて複数使用する場合は、そ
の一例を図４に示す様に、本体４又は分割体11を下側に、本体１又は分割体２を上側にし
て下側の凸部５を上側の嵌合穴６に嵌合させて積層し、設置面Ｇの要所に設置する。
【００１３】
上記の様に設置した後、本体１又は分割体２の上面にコンクリート製品Ｗを載置するこ
とで、該コンクリート製品Ｗが所定の水平レベルに設定される。
尚、本体４又は分割体11上に本体１又は分割体２を載置した場合、嵌合穴６を貫通突出
する凸部５は、本体１又は分割体２上にコンクリート製品Ｗが載置されることでその荷重
により凹部16内へ凹む。
この後、設置面Ｇとコンクリート製品Ｗとの間にモルタルを流し込み、コンクリート製
品Ｗの設置状態を安定させ、次にコンクリート製品Ｗに連続する他のコンクリート製品Ｗ
を同様な作業手順にて施工する。
尚、図５に分断していない本体１の一使用例として、コンクリート製品Ｗの連結部分を
跨がる様に本体１を設置した状態を示したが、かかる使用例に何ら限定されない。
【図面の簡単な説明】
【００１４】
【図１】本考案に係るレベル調整プレートの平面図である。
【図２】同上正面図である。
【図３】図１のＡーＡ断面図である。
【図４】厚肉に形成された他のレベル調整プレートとの積み重ね状態の一例を示す断面図である。
【図５】一使用例を示す図である。
【符号の説明】
【００１５】
１  本体
２  分割体
３  連結片
７  分断用切欠き溝
８  切欠き底
９  極薄肉部
10  ノッチ
【図１】
0003111908.tif 000003
【図２】
0003111908.tif 000004
【図３】
0003111908.tif 000005
【図４】
0003111908.tif 000006
【図５】
0003111908.tif 000007